(57)【特許請求の範囲】
【請求項１】
歯牙となる人工歯と、人工歯を支持する義歯床と、前記義歯床に配置され、前記義歯床に埋め込まれた第１部分と、前記第１部分から細くなる第２部分とが形成された義歯用金具と、前記義歯床または前記人工歯に埋設されて前記第２部分に配置され、情報が無線信号により読み取られる情報格納素子とを備え、
前記義歯用金具を、前記情報格納素子のアンテナとして機能させたことを特徴とする有床義歯。
【請求項２】
歯牙となる人工歯と、人工歯を支持する義歯床と、前記義歯床に埋め込まれた部分が前記義歯床内を往復配線された義歯用金具と、前記義歯床または前記人工歯に埋設され、情報が無線信号により読み取られる情報格納素子とを備え、
前記義歯用金具を、前記情報格納素子のアンテナとして機能させたことを特徴とする有床義歯。
【請求項３】
歯牙となる人工歯と、人工歯を支持する義歯床と、前記義歯床に配置された義歯用金具と、前記義歯床または前記人工歯に埋設され、情報が無線信号により読み取られる情報格納素子とを備え、
前記義歯用金具を、前記情報格納素子のアンテナとして機能させ、
前記義歯用金具の露出部分に、前記情報格納素子が前記義歯床への埋設位置を示す位置識別表示部が形成されたことを特徴とする有床義歯。
【請求項４】
前記情報格納素子は、前記義歯用金具に非接触状態で配置されている請求項１から３のいずれかの項に記載の有床義歯。
【請求項５】
前記情報格納素子は、素子表面に形成されたアンテナ配線と、前記義歯用金具の埋入部分とが平行になるように配置された請求項４記載の有床義歯。
【請求項６】
前記情報格納素子に外部アンテナが設けられ、
前記義歯用金具の埋入部分と前記外部アンテナとが平行になるように配置された請求項４記載の有床義歯。
【請求項７】
前記情報格納素子に外部アンテナが設けられ、
前記義歯用金具の埋入部分に前記外部アンテナが接続された請求項１から３のいずれかの項に記載の有床義歯。
【請求項８】
前記義歯用金具は、バー、クラスプまたは補強線である請求項１から７のいずれかの項に記載の有床義歯。
【請求項９】
前記請求項３記載の有床義歯の義歯床への情報格納素子の埋設位置が、前記位置識別表示部が示す埋設位置情報に関連付けられて格納される記憶手段と、
前記位置識別表示部に基づいて、前記義歯床の埋設位置を、前記記憶手段から検索する検索手段とを備えた有床義歯管理装置。
【発明の詳細な説明】
【技術分野】
【０００１】
本発明は、歯牙となる人工歯を支持する義歯床に義歯用金具の一部が埋入された有床義歯および有床義歯管理装置に関するものである。
【背景技術】
【０００２】
災害や事故のときなどに、被害者の身元調査に役立つとして、装着者に関する情報が記憶された情報格納素子を、義歯床や人工歯、歯科補綴物に格納したものが知られている。この情報格納素子は、徘徊する認知症を患った者の身元を特定する際にも役立つものである。このような情報格納素子を用いた歯科技工物として、特許文献１〜４に記載されたものが知られている。
【０００３】
特許文献１に記載の個人データ保存装置は、血液型、既往症、氏名などの個人データまたは個人識別番号を記憶させた素子を歯冠補綴物に内蔵させ、かつ内蔵素子の記憶データを取り出し可能とするものである。
この特許文献１の個人データ保存装置には、素子の外周にコイルを備えており、外部からの高周波の電波を受けると、コイルに起電力が発生し、これによって内部の素子を起動し、コイルを通して記憶情報を発信することが記載されている。
【０００４】
特許文献２に記載のＩＤ装置の取り付け方法は、個人認証に関する情報を送信できる口腔内情報携帯装置を、対象者の口腔内に装置される修復物、補綴物及び歯槽骨、インプラント、歯牙等に埋め込んだり、又は、貼り付けたりすることが記載されている。
また、この特許文献２のＩＤ装置の取り付け方法には、クラウン・ブリッジを送信部のアンテナとして用いることが記載されている。
【０００５】
特許文献３に記載の有床義歯は、装着者を特定する情報が格納され、情報を無線信号として送信する発信素子が、人工歯、前記人工歯を支持する義歯床、義歯床を支持するバー、または支台歯に係止するためのクラスプに内蔵されたものである。
この特許文献３の有床義歯は、総入歯のときに、義歯床の口蓋部に発信素子を内蔵するだけでなく、口蓋部にアンテナを内蔵させることが記載されている。
【０００６】
特許文献４に記載の電子タグ内蔵入れ歯情報管理システムは、個人を特定するための識別情報が登録されている電子タグと、電子タグのアンテナとが義歯床部に埋め込まれたものである。
【先行技術文献】
【特許文献】
【０００７】
【特許文献１】特開平７−２４１３０１号公報
【特許文献２】特開２００４−１９５１４３号公報
【特許文献３】特開２０１３−１０９７４５号公報
【特許文献４】実用新案登録第３１３９６３５号公報
【発明の概要】
【発明が解決しようとする課題】
【０００８】
特許文献１から４に記載されたものは、情報格納素子の通信距離を延ばすために、アンテナが情報格納素子の外部に設けられている。
しかし、特許文献１に記載の個人データ保存装置では、素子にコイルが巻かれており、このコイルをアンテナとしているが、素子自体は歯冠補綴物に収容される程度の小型である。従って、素子の周囲に巻き付けたコイルによるアンテナでは通信距離は期待できない。
また、特許文献２に記載のＩＤ装置の取り付け方法では、クラウン・ブリッジを口腔内情報携帯装置の送信部のアンテナとして用いることが記載されているが、クラウン・ブリッジとアンテナとすると、有床義歯には適用できない。
また、特許文献３に記載の有床義歯では、口蓋部にアンテナを内蔵させているため、口蓋部を備えていない部分義歯には適用できない。
更に、特許文献４に記載の電子タグ内蔵入れ歯情報管理システムでは、電子タグから双方に延びるアンテナの長さは電波の波長に基づいて決定されるが、アンテナの長さは長ければ高い利得が得られる。しかし、電子タグから長いアンテナを張った状態で義歯床部に埋設することは困難である。
【０００９】
そこで本発明は、アンテナを簡単に実装でき、情報格納素子の通信距離を飛躍的に延ばすことができる有床義歯および有床義歯管理装置を提供することを目的とする。
【課題を解決するための手段】
【００１０】
本発明の有床義歯は、歯牙となる人工歯と、歯牙となる人工歯と、人工歯を支持する義歯床と、前記義歯床に配置された義歯用金具と、前記義歯床または前記人工歯に埋設され、情報が無線信号により読み取られる情報格納素子とを備え、前記義歯用金具を、前記情報格納素子のアンテナとして機能させたことを特徴とする。
【００１１】
本発明によれば、情報格納素子が義歯床または人工歯に埋設されている。また、義歯床には、義歯用金具が配置されている。義歯用金具が、情報格納素子のアンテナとして機能するため、情報格納素子を義歯床または人工歯に配置することにより、情報格納素子の通信距離を延ばすことができる。
【００１２】
前記情報格納素子が、前記義歯用金具に非接触状態で配置されていると、情報格納素子と義歯用金具とを別々に義歯床に設けることができる。また、義歯用金具と義歯床とを一体成型した後に、情報格納素子を義歯床に埋設することができ、義歯用金具をブースターアンテナとして機能させる。
【００１３】
前記情報格納素子の素子表面に形成されたアンテナ配線と、前記義歯用金具の埋入部分とが平行になるように、前記情報格納素子が配置されていると、更に通信距離を延ばすことができる。
【００１４】
前記情報格納素子に外部アンテナが設けられ、前記義歯用金具の埋入部分と前記外部アンテナとが平行になるように配置されていると、外部アンテナの長さが長くなくても、義歯用金具をブースターアンテナとして機能させることにより、通信距離を延ばすことができる。
【００１５】
前記情報格納素子に外部アンテナが設けられ、前記義歯用金具の埋入部分に前記外部アンテナが接続されていると、外部アンテナの長さを長くすることができるので、通信距離を延ばすことができる。
【００１６】
前記義歯用金具は、バー、クラスプまたは補強線であると、特別な義歯用金具をアンテナとして義歯床に設ける必要がなく、バーまたはクラスプを有効活用することができる。
【００１７】
前記義歯用金具は、前記義歯床に埋め込まれた第１部分と、前記第１部分から細くなる第２部分とが形成され、前記情報格納素子は、前記第２部分に配置されているのが望ましい。情報格納素子が第１部分から細くなった第２部分に配置されていることで、義歯床への配置が設計しやすい。
【００１８】
前記義歯用金具の埋入部分は、前記義歯床内を往復配線されていると、義歯用金具のアンテナとしての利得を向上させることができるので、更に通信距離を延ばすことができる。
【００１９】
前記義歯用金具の露出部分に、前記情報格納素子が前記義歯床への埋設位置を示す位置識別表示部が形成されていると、外側から見えない情報格納素子の義歯床への埋設位置が位置識別表示部から判別することができる。
【００２０】
本発明の有床義歯管理装置は、本発明の有床義歯の義歯床への情報格納素子の埋設位置が、前記位置識別表示部が示す埋設位置情報に関連付けられて格納される記憶手段と、前記位置識別表示部に基づいて、前記義歯床の埋設位置を、前記記憶手段から検索する検索手段とを備えたことを特徴とする。
本発明の有床義歯管理装置によれば、検索手段により、位置識別表示部から埋設位置情報が検索できるので、様々な患者が有する有床義歯でも、簡単に、情報格納素子の埋設位置を調べることができる。
【発明の効果】
【００２１】
本発明は、義歯用金具を情報格納素子のアンテナとして機能させることができるため、アンテナを簡単に実装でき、情報格納素子の通信距離を飛躍的に延ばすことができる。
【図面の簡単な説明】
【００２２】
【図１】本発明の実施の形態１に係る有床義歯を示す斜視図である。
【図２】図１の有床義歯の情報格納素子の斜視図である。
【図３】図２に示す情報格納素子とバーとの配置を説明するための図である。
【図４】本発明の実施の形態２に係る有床義歯を示す斜視図である。
【図５】本発明の実施の形態３に係る有床義歯のクラスプと情報格納素子との配置関係を示す図であり、（Ａ）は、クラスプと情報格納素子とを側方から見た図、（Ｂ）は、クラスプと情報格納素子とを支台歯の咬合面側から見た図である。
【図６】本発明の実施の形態４に係る有床義歯を示す図である。
【図７】本発明の実施の形態５に係る有床義歯を示す図である。
【図８】本発明の実施の形態６に係る有床義歯を示す図である。
【図９】本発明の実施の形態７に係る有床義歯を示す斜視図である。
【図１０】図８に示す有床義歯を管理する有床義歯管理装置の構成図である。
【図１１】本発明の実施の形態８に係る有床義歯を示す斜視図である。
【図１２】図１１に示す有床義歯のＡ−Ａ線断面図である。
【図１３】本発明の実施の形態９に係る有床義歯を示す断面図である。
【発明を実施するための形態】
【００２３】
（実施の形態１）
本発明の実施の形態１に係る有床義歯を図面に基づいて説明する。
図１に示す有床義歯１０は、部分義歯である。有床義歯１０は、第１義歯部２０と第２義歯部３０とを備えている。
第１義歯部２０は、左下４番（第一小臼歯）から左下７番（第二大臼歯）までの歯牙の人工歯２１が、樹脂製の第１義歯床２２（義歯床）によって支持されている。第１義歯部２０には、左下３番（犬歯）を支台歯として引っ掛けて、第１義歯部２０の装着を安定させる左側クラスプ２３が配置されている。
【００２４】
第２義歯部３０は、右下４番（第一小臼歯）から右下７番（第二大臼歯）までの歯牙の人工歯３１が、樹脂製の第２義歯床３２によって支持されている。第２義歯部３０には、右下３番（犬歯）を支台歯として引っ掛けて、第２義歯部３０の装着を安定させる右側クラスプ３３が配置されている。
【００２５】
第１義歯部２０と第２義歯部３０とは、バー４０により繋がっている。
バー４０は、第１義歯部２０の第１義歯床２２の先部２２ａから、第２義歯部３０の第２義歯床３２の先部３２ａまでを左下３番から右下３番までの歯列弓に沿ってアーチ状に形成されている。
バー４０の第１義歯床２２および第２義歯床３２の先部２２ａ，３２ａへの埋入部分４１は、露出部分４２からの太さが維持された第１部分４１ａを有している。バー４０は、第１義歯床２２および第２義歯床３２に埋入されたバー４０の第１部分４１ａからその太さが細くなり、第２部分４１ｂとして、第１義歯床２２および第２義歯床３２のそれぞれの基部２２ｂ，３２ｂに向かって伸びている。第１部分４１ａと第２部分４１ｂとの境界部分に、バー４０が第１義歯床２２および第２義歯床３２から抜けることを防止するための突起部４１ｃが、一対形成されている。
【００２６】
第１義歯床２２には、情報が無線信号により読み取られる情報格納素子５０が埋設されている。情報格納素子５０は、バー４０をブースターアンテナとして、バー４０の第１義歯床２２に埋め込まれた第２部分４１ｂに非接触状態で配置されている。
ここで、情報格納素子５０について詳細に説明する。
【００２７】
図２に示すように、情報格納素子５０は、例えば、一辺が約２．５ｍｍの正方形板状の半導体チップとすることができる。情報格納素子５０の素子表面には、アンテナ部５１が矩形の螺旋状に形成されている。アンテナ部５１は、配線５２（アンテナ配線）が、始点をチップ本体の角部５３から中央部５４に向かって、配線５２が交差することなく、所定間隔を空けて周回している。アンテナ部５１の配線５２は、情報格納素子５０の端辺５５と平行に形成されている。
情報格納素子５０は、非接触式のパッシブダグ型のＲＦＩＤタグを採用することができる。
【００２８】
情報格納素子５０には、データベースに登録された個人情報と関連付けられていることで、個人を間接的に特定するための識別情報（ＩＤ情報）が格納されている。また、情報格納素子５０の記憶容量が十分である場合には、個人を特定するための識別情報の他に、氏名、住所、生年月日、性別、血液型、治療に掛かった歯科医院を特定する病院名や病院を識別するコードなどの個人情報を情報格納素子５０に格納することができる。更に、情報格納素子５０の記憶容量に余裕がある場合には、連絡先となる家族や病歴、投薬歴のほか社会歴、家族歴などが格納できる。特に、装着者が認知症を患っている場合には、情報格納素子５０に連絡先となる家族に関する情報が格納されていると、徘徊する装着者の身元がすぐに確認でき、家族に連絡を取ったり、装着者の治療の許可を得るときに、すぐに連絡を取ったりすることができる。情報格納素子５０は、図示しない情報読取装置から電波が照射されて起電力を得ることで、情報格納素子５０内に記憶させた各種情報を情報読取装置へ送信して、電気的に情報が読み取られる。
【００２９】
情報格納素子５０は、薄皮のような皮膜層により形成された封止部により覆われ封止されている。封止部を形成する封止用樹脂材は、例えば、人体に安全なパラキシリレン樹脂が使用できる。このパラキシリレン樹脂を化学気相蒸着法（ＣＶＤ）により情報格納素子５０にコーティングすることで、０．１μｍから５０μｍ程度に薄い皮膜層による封止部を、情報格納素子５０に密着した状態で形成することができる。また、封止部を必要に応じて５０μｍ以上の厚みとすることもできる。
【００３０】
図３に示すように、情報格納素子５０は、バー４０の第２部分４１ｂに非接触状態で接近させて配置されているため、情報格納素子５０とバー４０との間には、隙間Ｓが設けられている。このバー４０に対して、情報格納素子５０は、端辺５５が平行に配置されている。
情報格納素子５０のアンテナ部５１が、矩形状の素子表面を端辺５５と平行に周回している。そのため、バー４０の埋入方向と、情報格納素子５０の端辺５５とが平行に配置されている。
【００３１】
図１に示す情報格納素子５０を第１義歯床２２に埋設するときには、第１義歯床２２を樹脂成形する際に、歯肉部分に凹部を設けておく。そして、この凹部に情報格納素子５０を挿入して、情報格納素子５０を樹脂で封止する。または、凹部は、第１義歯床２２を成形した後に切削して形成してもよい。情報格納素子５０の樹脂封止は、凹部に情報格納素子５０を入れた状態で、熱硬化性樹脂を情報格納素子５０の表面および周囲面に塗布し、加熱して封止樹脂を硬化させる。情報格納素子５０の耐熱性に問題がなければ、第１義歯床２２を樹脂成形するときに、情報格納素子５０を凹部に入れて成形してもよい。
【００３２】
凹部は、内側となる面に形成する方が美観の観点から望ましい。また、封止樹脂が第１義歯床２２と同じ色であり、第１義歯床２２と封止樹脂との境界が視認できないのであれば、外側となる面に凹部を形成してもよい。
【００３３】
このように、情報格納素子５０は、第１義歯床２２に一部が埋入された義歯用金具であるバー４０に、非接触状態で配置されているため、情報格納素子５０とバー４０とを別々に第１義歯床２２に設けることができる。また、バー４０と第１義歯床２２とを一体成型した後に、情報格納素子５０を第１義歯床２２に埋設することができる。バー４０は情報格納素子５０のブースターアンテナとして機能するため、情報格納素子５０の通信距離を延ばすことができる。従って、有床義歯１０は、情報格納素子５０のアンテナを簡単に第１義歯床２２に実装でき、情報格納素子５０の通信距離を飛躍的に延ばすことができる。
【００３４】
情報格納素子５０の素子表面に形成された配線５２と、バー４０の第２部分とが平行になるように、情報格納素子５０が配置されているため、情報格納素子５０の通信距離を、更に、延ばすことができる。
【００３５】
情報格納素子５０のブースターアンテナとしてバー４０を用いているため、別途、アンテナを第１義歯床２２に設ける必要がない。従って、バー４０を有効活用することができる。また、バー４０は、第１義歯床２２の先部２２ａから基部２２ｂに向かって配置されているため、情報格納素子５０を第１義歯床２２配置したときに、口腔外へ向かうアンテナとして効果的である。
【００３６】
バー４０は、第１義歯床２２に埋め込まれた第１部分４１ａと、第１部分４１ａから細くなる第２部分４１ｂとが形成されている。情報格納素子５０は、第２部分４１ｂに配置されている。そのため、厚みが薄く、幅が狭い情報格納素子５０を第１義歯床２２へ配置する際に、第２部分４１ｂに対して、第２部分４１ｂを中心に様々な位置に配置することができるため、配置設計が容易である。
【００３７】
（実施の形態２）
本発明の実施の形態２に係る有床義歯を図面に基づいて説明する。
なお、図４においては、図１と同じ構成のものは同符号を付して説明を省略する。
本実施の形態２に係る有床義歯１１では、バー４０ｘの埋入部分４１の第１部分４１ａから太さが細くなる第２部分４１ｘが、第１義歯床２２内で往復配線されている。
【００３８】
本実施の形態２では、第２部分４１ｘが１往復してＵ字状に形成されている。このようなバー４０ｘとすることで、バー４０ｘのアンテナとしての利得を向上させることができるので、更に通信距離を延ばすことができる。
また、第２部分４１ｘが往復配線されていることで、厚みが無く、幅が狭い第１義歯床２２に第２部分４１ｘを配線しても、情報格納素子５０を配置するだけのスペースを確保しやすい。
本実施の形態２では、第２部分４１ｘが１往復してＵ字状に形成されているが、第２部分は、更に往復するように蛇行してもよい。
また、第２部分４１ｘがＵ字状に形成されていることで、バー４０ｘが抜けることを防止することができる。
【００３９】
（実施の形態３）
本発明の実施の形態３に係る有床義歯に用いられるクラスプおよび情報格納素子を図面に基づいて説明する。なお、図５においては、図１および図２と同じ構成のものは同符号を付して説明を省略する。
【００４０】
図５に示すクラスプ６０は、図１に示すクラスプ（左側クラスプ２３，右側クラスプ３３）と同様に、隣在歯を支台歯Ｔとして引っ掛け、装着者に装着した部分義歯を安定させるためのものである。
クラスプ６０は、支台歯Ｔを両側から引っ掛ける一対の腕部６１と、部分義歯の義歯床（図示せず）に埋入される脚部６２とを備えている。
【００４１】
クラスプ６０は、クラスプ６０が義歯床からの抜けることを防止するために、脚部６２の脚本体６２ａに、脚本体６２ａの歯肉側へ等間隔に突出した突起部６２ｂが形成されている。また、脚本体６２ａの先端部には、突起部６２ｂが突出した方向と直交する方向に、一対の突起部６２ｃが形成されている。
【００４２】
部分義歯には、このクラスプ６０をブースターアンテナとした情報格納素子５０が配置される。クラスプ６０に情報格納素子５０を配置するときには、クラスプ６０の脚部６２を義歯床（図示せず）に埋入させるようにして義歯床を成形した後、成形時に義歯床に形成した凹部に情報格納素子５０を挿入して、情報格納素子５０を樹脂で封止する。
【００４３】
この情報格納素子５０の配置は、クラスプ６０の埋入部分である脚部６２の長さ方向の中央位置に、情報格納素子５０の素子表面に形成されたアンテナ配線と、脚部６２とが平行で、かつ非接触状態である。
これは、上述したように、情報格納素子５０のアンテナ配線が、情報格納素子５０の端辺５５と平行であるため、情報格納素子５０の端辺５５が脚部６２と平行となる。
【００４４】
このように、情報格納素子５０のブースターアンテナとしてクラスプ６０を用いているため、特別な義歯用金具をアンテナとして部分義歯に設ける必要がない。従って、クラスプ６０を有効活用することができる。
【００４５】
（実施の形態４）
本発明の実施の形態４に係る有床義歯を図面に基づいて説明する。なお、図６においては、図１と同じ構成のものは同符号を付して説明を省略する。
図６に示す有床義歯７０は、上顎用の総義歯である。有床義歯７０は、人工歯２１と、樹脂製の義歯床７１と、義歯床７１の強度を向上させるために、人工歯２１が並ぶ歯列弓に沿って義歯床７１に埋設された補強線７２と、補強線７２に接近させて配置された情報格納素子５０とを備えている。
【００４６】
情報格納素子５０は、義歯床７１に埋入されたアーチ状をなす補強線７２に接近させて配置されている。
この情報格納素子５０の配置は、実施の形態３のクラスプ６０（図５参照）と同様である。例えば、情報格納素子５０は、補強線７２の長さ方向の中央部７２ａに、情報格納素子５０の端辺５５と、補強線７２とが平行で、かつ非接触状態とすることができる。
情報格納素子５０のブースターアンテナとして総義歯である有床義歯７０の補強線７２を用いているため、特別な義歯用金具をアンテナとして部分義歯に設ける必要がない。従って、補強線７２を有効活用することができる。
【００４７】
情報格納素子５０は、補強線７２の様々な位置に配置することができる。例えば、情報格納素子５０を、補強線７２の一方の端部７２ｂに配置したり、他方の端部７２ｃに配置したりすることができる。
補強線７２をブースターアンテナとして機能させるときに、情報格納素子５０に対して高い利得を与えるために、情報格納素子５０が送受信する無線信号との関係から、情報格納素子５０を補強線７２の中央部７２ａに配置するのが最も望ましい。また、情報格納素子５０を補強線７２の端部（一方の端部７２ｂ，他方の端部７２ｃ）に配置するのが望ましい。
【００４８】
本実施の形態４に係る補強線７２は、歯列弓に沿ったアーチ状に形成され、端部はほぼ直線状に形成されているが、端部にて、義歯床７１内を往復配線させていてもよい。
【００４９】
（実施の形態５）
本発明の実施の形態５に係る有床義歯を図面に基づいて説明する。なお、図７においては、図６と同じ構成のものは同符号を付して説明を省略する。
図７に示す有床義歯８０は、上顎用の総義歯である。有床義歯８０の義歯床７１には、外部アンテナ５６が接続された情報格納素子５０が埋設されている。
情報格納素子５０の外部アンテナ５６は、インレットと称され、金属線をセロハンなどの薄膜により封止したものである。
【００５０】
この外部アンテナ５６が設けられた情報格納素子５０を義歯床７１に配置するときには、外部アンテナ５６を補強線７２に接近させて配置する。そうすることで、補強線７２をブースターアンテナとして機能させることができる。このとき、外部アンテナ５６と補強線７２とが平行になるように配置することで、外部アンテナ５６として長い線長のものを使用していなくても、外部アンテナ５６は、より強い利得を得ることができる。
（実施の形態６）
本発明の実施の形態６に係る有床義歯を図面に基づいて説明する。なお、図８においては、図７と同じ構成のものは同符号を付して説明を省略する。
図８に示す有床義歯９０は、上顎用の総義歯である。有床義歯９０の義歯床７１には、外部アンテナ５６が接続された情報格納素子５０が埋設されている。
情報格納素子５０の外部アンテナ５６は、その一端が補強線７２に接続されている。
外部アンテナ５６と補強線７２との接続は圧接、溶着など様々方法を用いることができる。
【００５１】
そうすることで、外部アンテナ５６を延長するように、補強線７２をブースターアンテナとして機能させることができるので、外部アンテナ５６として長い線長のものを使用していなくても、外部アンテナ５６は、より強い利得を得ることができる。
【００５２】
（実施の形態７）
本発明の実施の形態７に係る有床義歯を図面に基づいて説明する。なお、図９においては、図１と同じ構成のものは同符号を付して説明を省略する。
図９に示す有床義歯１２は、図１に示す有床義歯１０のバー４０の第１義歯床２２および第２義歯床３２から露出した部分（露出部分４２）に、位置識別表示部４３が形成されたものである。この位置識別表示部４３は、情報格納素子５０の第１義歯床２２への埋設位置を示す情報である。位置識別表示部４３は、例えば、「Ｇ−２０１５３３５」などの英文字と数字、記号とを組み合わせたコードとすることができる。
この位置識別表示部４３は、例えば、レーサー光線による刻印とすることができる。
【００５３】
歯科医師や歯科技工士は、位置識別表示部４３から、情報格納素子５０の埋設位置を、有床義歯管理装置により調べることができる。ここで、有床義歯管理装置について、図面に基づいて説明する。
図１０に示すように、有床義歯管理装置１００は、歯科技工所に設置されている。歯科医院には、この有床義歯管理装置１００にネットワークＷを介して接続する端末装置１１０が設置されている。
有床義歯管理装置１００は、入力手段１０１と、記憶手段１０２と、制御手段１０３と、表示手段１０４とを備えている。有床義歯管理装置１００は、コンピュータに情報格納素子管理プログラムを動作させることで機能する。
【００５４】
入力手段１０１は、歯科医師が操作するキーボードやタッチパネルとすることができる。
記憶手段１０２は、情報格納素子５０が義歯床に埋設されている位置を示す情報（埋設位置情報）が位置識別表示部４３に関連付けられて格納されている。埋設位置情報は、例えば、上顎または下顎を示す情報、歯牙の位置を示す番号を示す情報、唇側、舌側、口唇側または頬側を示す情報とすることができる。また、この埋設位置情報に、患者名、製造年月日、製造番号なども関連付けて含めることができる。この記憶手段１０２は、ハードディスクとしたり、フラッシュメモリとしたりすることができる。
【００５５】
制御手段１０３は、有床義歯管理装置１００全体を統括制御するものである。制御手段１０３は、検索手段１０３ａと、表示制御手段１０３ｂと、通信手段１０３ｃを備えている。
検索手段１０３ａは、位置識別表示部４３に基づいて、情報格納素子５０の位置を、記憶手段１０２から検索する機能を備えている。
表示制御手段１０３ｂは、検索手段１０３ａにより検索された埋設位置情報を表示手段１０４に出力する機能を備えている。
通信手段１０３ｃは、ネットワークＷを介して検索手段１０３ａと端末装置１１０との通信を中継する機能を備えている。具体的には、通信手段１０３ｃは、端末装置１１０からの入力情報を検索手段１０３ａへ通知すると共に、検索手段１０３ａにより検索された埋設位置情報を端末装置１１０へ送信する。
表示手段１０４は、表示制御手段１０３ｂからの表示データを表示するディスプレイである。表示手段１０４は、ＬＣＤパネルとしたり、有機ＥＬパネルとしたりすることができる。
【００５６】
以上のように構成された本発明の実施の形態７に係る情報格納素子５０の探索方法を説明する。
例えば、情報格納素子５０が故障して情報が読み取れなくなり、情報格納素子５０の交換が必要になったものとする。
まず、歯科医師は、図９に示す有床義歯１２のバー４０に形成された位置識別表示部４３を発見すると、この有床義歯１２に情報格納素子５０が格納されていることを認識することができる。
【００５７】
そして、歯科医師は、図１０に示す端末装置１１０を操作して有床義歯管理装置１００にアクセスする。
有床義歯管理装置１００では、検索手段１０３ａが通信手段１０３ｃを介して入力画面を端末装置１１０に送信する。
端末装置１１０では、端末装置１１０の入力手段を操作して、位置識別表示部４３(例えば、Ｇ−２０１５３３５」。）を入力情報として入力して、有床義歯管理装置１００に検索を指示する。
制御手段１０３の検索手段１０３ａは、歯科医師によって入力された入力情報である位置識別表示部４３に基づいて、記憶手段１０２に格納された埋設位置情報を検索する。次に、検索手段１０３ａは、記憶手段１０２から検索された埋設位置情報を、端末装置１１０へ通信手段１０３ｃを介して送信する。
端末装置１１０では、検索手段１０３ａからの埋設位置情報を、端末装置１１０の表示手段に表示する。
【００５８】
例えば、図９に示す有床義歯１２であれば、埋設位置情報は「左下６番  舌側」とすることができる。この埋設位置情報は、下顎左側の第一大臼歯（左下６番）で、第１義歯床２２の舌側に埋設されていることを示している。
歯科医師は、埋設位置情報から第１義歯床２２の該当箇所を歯科用切削治具で切削して、情報格納素子５０を、第１義歯床２２から露出させる。これにより、歯科医師は、第１義歯床２２から情報格納素子５０を取り出すことができる。
そして、歯科医師は、交換用の情報格納素子５０を取り出した後の穴に収納して、封止用樹脂を充填して、情報格納素子を被覆する。
【００５９】
このように、歯科医師は、位置識別表示部４３により埋設位置を判別することができるので、情報格納素子５０が義歯床に埋設されて、外側から情報格納素子５０の埋設位置がわからなくても、的確に、情報格納素子５０を義歯床から取り出すことができる。
また、様々な患者が有する有床義歯でも、有床義歯管理装置１００により、歯科医師は、簡単に、情報格納素子５０の埋設位置を調べることができる。
【００６０】
なお、上記例では、端末装置１１０から有床義歯管理装置１００にアクセスして、歯科医師が情報格納素子５０の埋設位置を調べていたが、歯科医師が有床義歯１２の修理を歯科技工所に依頼して、歯科技工士が、オフラインで有床義歯管理装置１００を使用して有床義歯１２を修理することもできる。
その場合には、例えば、歯科技工士が入力手段１０１を操作して、位置識別表示部４３を入力情報として入力する。検索手段１０３ａは、この入力情報に基づいて記憶手段１０２を検索する。検索手段１０３ａは、検索結果を、表示制御手段１０３ｂを介して表示手段１０４へ表示させる。このようにして、操作者である歯科技工士は、有床義歯管理装置１００をオフラインでも使用することができる。
【００６１】
なお、本実施の形態７では、位置識別表示部４３としてコード化された埋設位置情報としたが、情報格納素子５０が埋設された位置を直接表記するようにしてもよい。
また、有床義歯１２の位置識別表示部４３は、バー４０に形成されているが、義歯用金具を有する有床義歯として、例えば、クラスプに位置識別表示部が形成されていてもよい。
更に、位置識別表示部４３は、文字や数字、記号とする以外に、一次元バーコードや、ＱＲコード（登録商標），ｉＱＲコード（登録商標）などの二次元バーコードとすることも可能である。位置識別表示部４３を、一次元バーコードや二次元バーコードとしたときには、これらのバーコードを読み取り、内容を表示する読取装置にて、埋設位置情報を読取装置に表示させる。
【００６２】
（実施の形態８）
本発明の実施の形態８に係る有床義歯を図面に基づいて説明する。なお、図１１においては、図１および図４と同じ構成のものは同符号を付して説明を省略する。
本実施の形態８に係る有床義歯１３では、バー４０ｙの埋入部分４１の第１部分４１ａから太さが細くなる第２部分４１ｙが、第１義歯床２２内で往復配線されている。
【００６３】
本実施の形態８では、第２部分４１ｙが１往復半して蛇行するように形成されている。このようなバー４０ｙとすることで、バー４０ｙのアンテナとしての利得を向上させることができるので、更に通信距離を延ばすことができる。
図１２に示すように、この第２部分４１ｙの端部は、人工歯２１（第二大臼歯）の下方に位置しており、この人工歯２１には情報格納素子５０が埋設されている。
【００６４】
情報格納素子５０は、人工歯２１内に水平に埋設されているが、バー４０ｙの第２部分４１ｙと、情報格納素子５０の端辺５５が平行であれば、垂直に埋設されていても、傾斜した状態であってもよい。
【００６５】
このように、人工歯２１に情報格納素子５０が埋設されていても、バー４０ｙの端部に、情報格納素子５０を、非接触状態で接近させて配置されているため、バー４０ｙがブースターアンテナとして機能する。従って、特別な義歯用金具をアンテナとして第１義歯床２２に設ける必要がない。従って、バー４０ｙを情報格納素子５０のブースターアンテナとして機能させることができるため、アンテナを簡単に実装でき、情報格納素子５０の通信距離を飛躍的に延ばすことができる。
【００６６】
（実施の形態９）
本発明の実施の形態９に係る有床義歯を図面に基づいて説明する。なお、図１３においては、図１２と同じ構成のものは同符号を付して説明を省略する。
本実施の形態９に係る有床義歯１４では、人工歯２１内に外部アンテナ５６付きの情報格納素子５０が埋設されている。外部アンテナ５６が情報格納素子５０に接続された側とは反対側の外部アンテナ５６の端面は、人工歯２１の底面から露出しているが、内部に隠れた状態でもよい。外部アンテナ５６の端面が、人工歯２１の底面から露出していると、外部アンテナ５６の位置が外部から視認できるため望ましい外部アンテナ５６の端面と埋入部分４１の第２部分４１ｂとの間には、隙間Ｓが設けられている。
【００６７】
このように、人工歯２１に情報格納素子５０と外部アンテナ５６とが内蔵され、第１義歯床２２に埋入されたバー４０を情報格納素子５０のブースターアンテナとして機能させているため、別途、アンテナを第１義歯床２２に設ける必要がない。従って、バー４０（例えば、図４参照）を有効活用することができる。また、外部アンテナ５６として長い線長のものを使用していなくても、外部アンテナ５６は、より強い利得を得ることができる。
【００６８】
実施の形態９では、外部アンテナ５６と第２部分４１ｂとの間に隙間Ｓが設けられていたが、外部アンテナ５６と第２部分４１ｂとが接触していてもよい。
外部アンテナ５６と第２部分４１ｂとが接触することで、外部アンテナ５６を延長するように、バー４０をアンテナとして機能させることができる。
【００６９】
以上、本実施の形態１〜９を説明した。実施の形態１，２，７〜９では義歯用金具がバーであり、実施の形態３では義歯用金具がクラスプであり、更に、実施の形態４〜６では義歯用金具が補強線であったが、有床義歯で用いられる金具であれば、他の金具をアンテナとすることができる。また、本実施の形態１，２，７〜９では、義歯用金具として、バー４０，４０ｘ，４０ｙとクラスプ（左側クラスプ２３，右側クラスプ３３）との両方を備えているがバー４０，４０ｘ，４０ｙだけでもよい。
【００７０】
また、実施の形態７では、図９に示すように、バー４０の露出部分４２に、位置識別表示部４３が形成されているが、第１義歯床２２または第２義歯床３２が半透明で、位置識別表示部４３が透けて見えるのであれば、バー４０の埋入部分４１に、位置識別表示部４３が形成されていてもよい。そうすることで、位置識別表示部４３が凹凸となる刻印であっても、第１義歯床２２または第２義歯床３２がカバーとなるため、位置識別表示部４３が露出して舌触りが悪化することを防止することができる。
また、図５（Ａ）および同図（Ｂ）のクラスプ６０においても、脚本体６２ａに位置識別表示部が形成されていてもよい。
更に、図６から図８の示す補強線７２においても、位置識別表示部が形成できる程度に太く、または幅広くすることで、位置識別表示部を形成することができる。
【産業上の利用可能性】
【００７１】
本発明は、バーやクラスプ、補強線などの義歯用金具を備えた有床義歯に好適である。
【符号の説明】
【００７２】
１０，１１，１２，１３，１４  有床義歯
２０  第１義歯部
２１  人工歯
２２  第１義歯床
２２ａ  先部
２２ｂ  基部
２３  左側クラスプ
３０  第２義歯部
３１  人工歯
３２  第２義歯床
３２ａ  先部
３２ｂ  基部
３３  右側クラスプ
４０，４０ｘ  バー
４１  埋入部分
４１ａ  第１部分
４１ｂ，４１ｘ，４１ｙ  第２部分
４１ｃ  突起部
４２  露出部分
４３  位置識別表示部
５０  情報格納素子
５１  アンテナ部
５２  配線
５３  角部
５４  中央部
５５  端辺
５６  外部アンテナ
５６ａ  端面
６０  クラスプ
６１  腕部
６２  脚部
６２ａ  脚本体
６２ｂ，６２ｃ  突起部
７０  有床義歯
７１  義歯床
７２  補強線
７２ａ  中央部
７２ｂ  一方の端部
７２ｃ  他方の端部
８０，９０  有床義歯
１００  有床義歯管理装置
１０１  入力手段
１０２  記憶手段
１０３  制御手段
１０３ａ  検索手段
１０３ｂ  表示制御手段
１０３ｃ  通信手段
１０４  表示手段
１１０  端末装置
Ｓ  隙間
Ｔ  支台歯
Ｗ  ネットワーク
【図１】
0006392127.tif 000002
【図２】
0006392127.tif 000003
【図３】
0006392127.tif 000004
【図４】
0006392127.tif 000005
【図５】
0006392127.tif 000006
【図６】
0006392127.tif 000007
【図７】
0006392127.tif 000008
【図８】
0006392127.tif 000009
【図９】
0006392127.tif 000010
【図１０】
0006392127.tif 000011
【図１１】
0006392127.tif 000012
【図１２】
0006392127.tif 000013
【図１３】
0006392127.tif 000014